【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
トナー像を担持する像担持体と、転写材を担持する転写材担持体と、前記転写材担持体に担持された転写材表面をトナーの正規の帯電極性とは逆極性に帯電する帯電手段と、前記帯電手段により帯電された後、前記像担持体上のトナー像を前記転写材担持体に担持された転写材に転写する転写手段と、を有する画像形成装置において、
前記帯電手段に印加する電圧を転写材の種類に応じて設定することを特徴とする画像形成装置。
【請求項２】
転写材が光透過性樹脂シートである場合に前記帯電手段に印加する電圧の絶対値は、転写材が紙である場合よりも大きいことを特徴とする請求項１に記載の画像形成装置。
【請求項３】
前記転写材の種類を判別する判別手段を更に有し、前記判別手段による判別結果に応じて前記帯電手段に印加する電圧を設定することを特徴とする請求項１又は２に記載の画像形成装置。
【請求項４】
前記判別手段は、転写材が光透過性樹脂であるかどうかを判別することを特徴とする請求項３に記載の画像形成装置。
【請求項５】
トナー像を担持する像担持体と、転写材を担持する転写材担持体と、前記転写材担持体を帯電する帯電手段と、前記帯電手段により帯電された後、前記像担持体上のトナー像を転写部で前記転写材担持体に担持された転写材に転写する転写手段と、を有する画像形成装置において、
前記帯電手段に所定の電圧を印加したとき流れる電流を検知する検知手段と、転写材先端部の非画像形成領域が前記転写部を通過するときに前記転写手段に印加する電圧を前記検知手段による検知結果に基づいて制御する制御手段と、を有することを特徴とする画像形成装置。
【請求項６】
前記検知手段は前記帯電手段に異なる値の複数の電圧を印加したとき流れる電流をそれぞれ検知することを特徴とする請求項５に記載の画像形成装置。
【請求項７】
転写材先端部の非画像形成領域が前記転写部を通過するとき、前記制御手段は前記検知手段による検知結果に基づいて前記転写手段に印加する複数の電圧値を制御することを特徴とする請求項５又は６に記載の画像形成装置。
【請求項８】
前記検知手段は転写材先端部が前記帯電手段と前記転写材担持体との間を通過するとき流れる電流を検知することを特徴とする請求項５〜７いずれか一項に記載の画像形成装置。
【請求項９】
前記転写手段に前記電圧を印加したとき流れる電流を検知する電流検知手段を更に有し、前記制御手段は転写材の画像形成領域が前記転写部を通過するとき前記転写手段に印加する電圧を前記電流検知手段による検知結果に基づいて制御することを特徴とする請求項５〜８いずれか一項に記載の画像形成装置。
【請求項１０】
前記転写手段に印加する電圧は定電圧制御されることを特徴とする請求項５〜９いずれか一項に記載の画像形成装置。
【請求項１１】
トナー像を担持する像担持体と、転写材を担持する転写材担持体と、前記転写材担持体を帯電する帯電手段と、前記帯電手段により帯電された後、前記像担持体上のトナー像を転写部で前記転写材担持体に担持された転写材に転写する転写手段と、を有する画像形成装置において、
前記帯電手段に所定の電流を印加したとき発生する電圧を検知する検知手段と、転写材先端の非画像形成領域が前記転写部を通過するとき前記転写手段に印加する電圧を前記検知手段による検知結果に基づいて制御する制御手段と、を有することを特徴とする画像形成装置。
【請求項１２】
前記検知手段は前記帯電手段に異なる値の複数の電流を印加したとき発生する電圧をそれぞれ検知することを特徴とする請求項１１に記載の画像形成装置。
【請求項１３】
転写材先端部の非画像形成領域が前記転写部を通過するとき、前記制御手段は前記検知手段による検知結果に基づいて前記転写手段に印加する複数の電圧値を制御することを特徴とする請求項１１又は１２に記載の画像形成装置。
【請求項１４】
前記検知手段は転写材先端部が前記帯電手段と前記転写材担持体との間を通過するとき電圧を検知することを特徴とする請求項１１〜１３いずれか一項に記載の画像形成装置。
【請求項１５】
前記転写手段に前記電圧を印加したとき流れる電流を検知する電流検知手段を更に有し、前記制御手段は、前記転写材担持体に担持された転写材の画像形成領域が前記転写部を通過するとき前記転写手段に印加する電圧を前記電流検知手段による検知結果に基づいて制御することを特徴とする請求項１１〜１４いずれか一項に記載の画像形成装置。
【請求項１６】
前記転写手段に印加する電圧は定電圧制御されることを特徴とする請求項１１〜１５いずれか一項に記載の画像形成装置。
【請求項１７】
トナー像を担持する像担持体と、転写材を担持する転写材担持体と、転写材を吸着部で前記転写材担持体に吸着する吸着帯電手段と、前記像担持体上のトナー像を前記吸着帯電手段により前記転写材担持体に担持された転写材に転写する転写手段と、を有する画像形成装置において、
転写材が前記転写材担持体に吸着される前に前記転写材担持体に所定の電圧を印加したとき流れる電流を検知する検知手段と、転写材が前記吸着部を通過するとき前記吸着帯電手段に印加する電圧を前記検知手段による検知結果に基づいて制御する制御手段と、を有することを特徴とする画像形成装置。
【請求項１８】
前記制御手段は転写材先端部の非画像形成領域が前記吸着部を通過するとき前記吸着帯電手段に印加する電圧を制御することを特徴とする請求項１７に記載の画像形成装置。
【請求項１９】
前記検知手段は前記転写材担持体に異なる値の複数の所定の電圧を印加したとき流れる電流をそれぞれ検知することを特徴とする請求項１７又は１８に記載の画像形成装置。
【請求項２０】
転写材先端部の非画像形成領域が前記吸着部を通過する間、前記吸着帯電手段に前記電圧を印加したとき流れる電流を検知する電流検知手段を更に有し、前記制御手段は、転写材の画像形成領域が前記吸着部を通過するとき前記吸着帯電手段に印加する電圧を前記電流検知手段による検知結果に基づいて制御することを特徴とする請求項１７〜１９いずれか一項に記載の画像形成装置。
【請求項２１】
前記吸着帯電手段に印加する電圧は定電圧制御されることを特徴とする請求項１７〜２０いずれか一項に記載の画像形成装置。
【請求項２２】
トナー像を担持する像担持体と、転写材を担持する転写材担持体と、転写材を吸着部で前記転写材担持体に吸着する吸着帯電手段と、前記像担持体上のトナー像を前記吸着帯電手段により前記転写材担持体に担持された転写材に転写する転写手段と、を有する画像形成装置において、
転写材が前記転写材担持体に吸着される前に前記転写材担持体に所定の電流を印加したとき発生する電圧を検知する検知手段と、転写材が前記吸着部を通過するとき前記吸着帯電手段に印加する電圧を前記検知手段による検知結果に基づいて制御する制御手段と、を有することを特徴とする画像形成装置。
【請求項２３】
前記制御手段は転写材先端部の非画像形成領域が前記吸着部を通過するとき前記吸着帯電手段に印加する電圧を制御することを特徴とする請求項２２に記載の画像形成装置。
【請求項２４】
前記検知手段は前記転写材担持体に異なる値の複数の所定の電流を印加したとき発生する電圧をそれぞれ検知することを特徴とする請求項２２又は２３に記載の画像形成装置。
【請求項２５】
転写材先端部の非画像形成領域が前記吸着部を通過する間、前記吸着帯電手段に前記電圧を印加したとき流れる電流を検知する電流検知手段を更に有し、前記制御手段は転写材の画像形成領域が前記吸着部を通過するとき前記吸着帯電手段に印加する電圧を前記電流検知手段による検知結果に基づいて制御することを特徴とする請求項２２〜２４いずれか一項に記載の画像形成装置。
【請求項２６】
前記吸着帯電手段に印加する電圧は定電圧制御されることを特徴とする請求項２２〜２５いずれか一項に記載の画像形成装置。
【手続補正２】
【補正対象書類名】明細書
【補正対象項目名】００３６
【補正方法】変更
【補正の内容】
【００３６】
【課題を解決するための手段】
上記目的は本発明に係る画像形成装置にて達成される。要約すれば、本発明は、トナー像を担持する像担持体と、転写材を担持する転写材担持体と、前記転写材担持体に担持された転写材表面をトナーの正規の帯電極性とは逆極性に帯電する帯電手段と、前記帯電手段により帯電された後、前記像担持体上のトナー像を前記転写材担持体に担持された転写材に転写する転写手段と、を有する画像形成装置において、
前記帯電手段に印加する電圧を転写材の種類に応じて設定することを特徴とする画像形成装置である。


【手続補正３】
【補正対象書類名】明細書
【補正対象項目名】００３８
【補正方法】変更
【補正の内容】
【００３８】
また本発明は、トナー像を担持する像担持体と、転写材を担持する転写材担持体と、前記転写材担持体を帯電する帯電手段と、前記帯電手段により帯電された後、前記像担持体上のトナー像を転写部で前記転写材担持体に担持された転写材に転写する転写手段と、を有する画像形成装置において、
前記帯電手段に所定の電圧を印加したとき流れる電流を検知する検知手段と、転写材先端部の非画像形成領域が前記転写部を通過するときに前記転写手段に印加する電圧を前記検知手段による検知結果に基づいて制御する制御手段と、を有することを特徴とする画像形成装置である。


【手続補正４】
【補正対象書類名】明細書
【補正対象項目名】００３９
【補正方法】変更
【補正の内容】
【００３９】
本発明によれば、前記検知手段は前記帯電手段に異なる値の複数の電圧を印加したとき流れる電流をそれぞれ検知する。転写材先端部の非画像形成領域が前記転写部を通過するとき、前記制御手段は前記検知手段による検知結果に基づいて前記転写手段に印加する複数の電圧値を制御する。前記検知手段は転写材先端部が前記帯電手段と前記転写材担持体との間を通過するとき流れる電流を検知する。前記転写手段に前記電圧を印加したとき流れる電流を検知する電流検知手段を更に有し、前記制御手段は転写材の画像形成領域が前記転写部を通過するとき前記転写手段に印加する電圧を前記電流検知手段による検知結果に基づいて制御する。前記転写帯電手段に印加する電圧は定電圧制御される。


【手続補正５】
【補正対象書類名】明細書
【補正対象項目名】００４０
【補正方法】変更
【補正の内容】
【００４０】
また本発明は、トナー像を担持する像担持体と、転写材を担持する転写材担持体と、前記転写材担持体を帯電する帯電手段と、前記帯電手段により帯電された後、前記像担持体上のトナー像を転写部で前記転写材担持体に担持された転写材に転写する転写帯電手段と、を有する画像形成装置において、
前記帯電手段に所定の電流を印加したとき発生する電圧を検知する検知手段と、転写材先端の非画像形成領域が前記転写部を通過するとき前記転写帯電手段に印加する電圧を前記検知手段による検知結果に基づいて制御する制御手段と、を有することを特徴とする画像形成装置である。


【手続補正６】
【補正対象書類名】明細書
【補正対象項目名】００４１
【補正方法】変更
【補正の内容】
【００４１】
本発明によれば、前記検知手段は前記帯電手段に異なる値の複数の電流を印加したとき発生する電圧をそれぞれ検知する。転写材先端部の非画像形成領域が前記転写部を通過するとき、前記制御手段は前記検知手段による検知結果に基づいて前記転写手段に印加する複数の電圧値を制御する。前記検知手段は転写材先端部が前記帯電手段と前記転写材担持体との間を通過するとき電圧を検知する。前記転写手段に前記電圧を印加したとき流れる電流を検知する電流検知手段を更に有し、前記制御手段は、前記転写材担持体に担持された転写材の画像形成領域が前記転写部を通過するとき前記転写手段に印加する電圧を前記電流検知手段による検知結果に基づいて制御する。前記転写手段に印加する電圧は定電圧制御される。


【手続補正７】
【補正対象書類名】明細書
【補正対象項目名】００４２
【補正方法】変更
【補正の内容】
【００４２】
また本発明は、トナー像を担持する像担持体と、転写材を担持する転写材担持体と、転写材を吸着部で前記転写材担持体に吸着する吸着帯電手段と、前記像担持体上のトナー像を前記吸着帯電手段により前記転写材担持体に担持された転写材に転写する転写手段と、を有する画像形成装置において、
転写材が前記転写材担持体に吸着される前に前記転写材担持体に所定の電圧を印加したとき流れる電流を検知する検知手段と、転写材が前記吸着部を通過するとき前記吸着帯電手段に印加する電圧を前記検知手段による検知結果に基づいて制御する制御手段と、を有することを特徴とする画像形成装置である。


【手続補正８】
【補正対象書類名】明細書
【補正対象項目名】００４４
【補正方法】変更
【補正の内容】
【００４４】
また本発明は、トナー像を担持する像担持体と、転写材を担持する転写材担持体と、転写材を吸着部で前記転写材担持体に吸着する吸着帯電手段と、前記像担持体上のトナー像を前記吸着帯電手段により前記転写材担持体に担持された転写材に転写する転写手段と、を有する画像形成装置において、
転写材が前記転写材担持体に吸着される前に前記転写材担持体に所定の電流を印加したとき発生する電圧を検知する検知手段と、転写材が前記吸着部を通過するとき前記吸着帯電手段に印加する電圧を前記検知手段による検知結果に基づいて制御する制御手段と、を有することを特徴とする画像形成装置である。